(57)【要約】【課題】汎用の印刷装置を利用して、容易かつ安価に曲面印刷を実現できる印刷用治具を提供する。【解決手段】印刷媒体の搬送台１と、印刷媒体の搬送方向に直交する方向に往復する印刷ヘッド２とを備えた装置に用いる印刷用治具であって、  上記印刷媒体の搬送方向に延びるように搬送台１の上に固定されるラックギア５と、  上記ラックギア５にかみ合って回転するピニオンギア６と、  上記ピニオンギア６にかみ合ってピニオンギア６と反対方向に回転する反転ギア７と、  上記反転ギア７に連動して回転し、外周側面を印刷面１５とする印刷対象物８を支持するための支持部９と、を備えている。これにより、汎用の印刷装置を利用して、容易かつ安価に曲面印刷を実現できる。【選択図】図１
2014205125.tif 000002
【特許請求の範囲】
【請求項１】
印刷媒体の搬送台と、印刷媒体の搬送方向に直交する方向に往復する印刷ヘッドとを備えた装置に用いる印刷用治具であって、
上記印刷媒体の搬送方向に延びるように搬送台の上に固定されるラックギアと、
上記ラックギアにかみ合って回転するピニオンギアと、
上記ピニオンギアに連動してピニオンギアと反対方向に回転する反転ギアと、
上記反転ギアに連動して回転し、外周側面を印刷面とする印刷対象物を支持するための支持部と、
を備えていることを特徴とする印刷用治具。
【請求項２】
上記ピニオンギアと反転ギアは、支持部に支持されて回転する印刷対象物の周速が、搬送台による印刷媒体の搬送速度と実質的に等しくなるように設定されている
請求項１記載の印刷用治具。
【請求項３】
上記印刷対象物は、印刷面である外周側面が円錐状または切頭円錐状である
請求項１または２記載の印刷用治具。
【請求項４】
上記支持部の回転軸は、上記印刷対象物の印刷面である外周側面が上記印刷ヘッドの往復方向と平行になるよう設定されている
請求項１〜３のいずれか一項に記載の印刷用治具。
【請求項５】
上記印刷ヘッドの往復方向に沿うように配置されて、印刷ヘッドにおける一部のノズルから吐出されるインクをマスクするマスキング部材をさらに備えた
請求項１〜４のいずれか一項に記載の印刷用治具。
【請求項６】
印刷媒体の搬送台と、印刷媒体の搬送方向に直交する方向に往復する印刷ヘッドとを備えた印刷装置であって、
上記印刷媒体の搬送方向に延びるように搬送台の上に固定されるラックギアと、
上記ラックギアにかみ合って回転するピニオンギアと、
上記ピニオンギアに連動してピニオンギアと反対方向に回転する反転ギアと、
上記反転ギアに連動して回転し、外周側面を印刷面とする印刷対象物を支持するための支持部と、
を備えていることを特徴とする印刷装置。
【請求項７】
印刷媒体の搬送台と、印刷媒体の搬送方向に直交する方向に往復する印刷ヘッドとを備えた装置を用いた印刷物の製造方法であって、
上記印刷媒体の搬送方向に延びるように搬送台の上にラックギアを固定し、
上記ラックギアにピニオンギアをかみ合わせて回転させ、
上記ピニオンギアに連動させてピニオンギアと反対方向に反転ギアを回転させ、
上記反転ギアに連動させて外周側面を印刷面とする印刷対象物を支持するための支持部を回転させ、
上記支持部に支持されて回転している印刷対象物の外周側面に対して上記印刷ヘッドで印刷を行うことを特徴とする印刷物の製造方法。
【発明の詳細な説明】
【技術分野】
【０００１】
本発明は、主としてインクジェットプリンタに使用することができる印刷用治具に関するものである。
【背景技術】
【０００２】
曲面への印刷を可能とする装置は各種のものが提案されている。円錐体等の回転体からなる被印刷体に対して印刷しうる曲面印刷装置として、例えば、下記の特許文献１の装置が提案されている。
【０００３】
特許文献１の装置は、被印刷体（１０）に対する印刷のための主走査と副走査を行なうために、被印刷体（１０）の回転支持機構と、インクジェットプリントヘッド（３０）の副走査支持機構と、プリントヘッドアーム（２０）の傾斜角度を調整する機構とを備えたものである。
【０００４】
すなわち、支持治具（１３）を有する下部回転台（１２）と上部押え盤（１７）とを備えた回転支持機構により被印刷体（１０）をその軸を中心に回転可能に支持する。一方、リードスクリュー（２１）およびガイドレールなどからなる副走査支持機構により、インクジェットプリントヘッド（３０）を上下動可能に支持する。さらに、プリントヘッドアーム（２０）の傾斜角度を調整する機構により、被印刷体（１０）の印刷面に対するインクジェットプリントヘッド（３０）の対向間隔を一定に保持させる。
【先行技術文献】
【特許文献】
【０００５】
【特許文献１】特開平５−３１８７１５号公報
【発明の開示】
【発明が解決しようとする課題】
【０００６】
しかしながら、上記特許文献１の装置は、回転支持機構は、支持治具（１３）を有する下部回転台（１２）と上部押え盤（１７）とを備え、垂直軸を中心に被印刷体（１０）を回転させる複雑なものである。また、副走査支持機構は、垂直軸を中心に回転する被印刷体（１０）に沿ってインクジェットプリントヘッド（３０）を上下動可能に支持するもので、複雑かつ大掛かりである。さらに、被印刷体（１０）の印刷面に対するインクジェットプリントヘッド（３０）の対向間隔を一定に保持させるために、プリントヘッドアーム（２０）の傾斜角度を調整する機構まで備えたものである。このように、極めて大掛かりで複雑な装置を特別に製作しなければならない。
【０００７】
本発明は、上記のような問題を解決するためになされたものであり、汎用の印刷装置を利用して、容易かつ安価に曲面印刷を実現できる印刷用治具を提供することを目的とする。
【課題を解決するための手段】
【０００８】
上記目的を達成するため、本発明の印刷用治具は、印刷媒体の搬送台と、印刷媒体の搬送方向に直交する方向に往復する印刷ヘッドとを備えた装置に用いる印刷用治具であって、
上記印刷媒体の搬送方向に延びるように搬送台の上に固定されるラックギアと、
上記ラックギアにかみ合って回転するピニオンギアと、
上記ピニオンギアに連動してピニオンギアと反対方向に回転する反転ギアと、
上記反転ギアに連動して回転し、外周側面を印刷面とする印刷対象物を支持するための支持部と、
を備えていることを要旨とする。
【０００９】
上記目的を達成するため、本発明の印刷装置は、
印刷媒体の搬送台と、印刷媒体の搬送方向に直交する方向に往復する印刷ヘッドとを備えた印刷装置であって、
上記印刷媒体の搬送方向に延びるように搬送台の上に固定されるラックギアと、
上記ラックギアにかみ合って回転するピニオンギアと、
上記ピニオンギアに連動してピニオンギアと反対方向に回転する反転ギアと、
上記反転ギアに連動して回転し、外周側面を印刷面とする印刷対象物を支持するための支持部と、
を備えていることを要旨とする。
【００１０】
上記目的を達成するため、本発明の印刷物の製造方法は、
印刷媒体の搬送台と、印刷媒体の搬送方向に直交する方向に往復する印刷ヘッドとを備えた装置を用いた印刷物の製造方法であって、
上記印刷媒体の搬送方向に延びるように搬送台の上にラックギアを固定し、
上記ラックギアにピニオンギアをかみ合わせて回転させ、
上記ピニオンギアに連動させてピニオンギアと反対方向に反転ギアを回転させ、
上記反転ギアに連動させて外周側面を印刷面とする印刷対象物を支持するための支持部を回転させ、
上記支持部に支持されて回転している印刷対象物の外周側面に対して上記印刷ヘッドで印刷を行うことを要旨とする。
【発明の効果】
【００１１】
本発明では、搬送台が印刷媒体の搬送方向に移動すると、そこに固定されたラックギアがその方向に移動する。このラックギアの移動によってピニオンギアが回転する。このとき、ピニオンギアは、印刷ヘッド側の外周の移動方向がラックギアの移動方向（すなわち印刷媒体の搬送方向）と反対になる。ピニオンギアの回転により、それに連動して反転ギアが回転する。反転ギアの回転方向は、ピニオンギアと反対方向である。したがって、反転ギアは、印刷ヘッド側の外周の移動方向がラックギアの移動方向（すなわち印刷媒体の搬送方向）と同様になる。そして、外周側面を印刷面とする印刷対象物は、上記反転ギアに連動して回転する支持部に支持されている。このため、搬送台が印刷媒体の搬送方向に移動することにより、外周側面を印刷面とする印刷対象物は、上記支持部に支持されて、印刷ヘッド側の外周の移動方向がラックギアの移動方向（すなわち印刷媒体の搬送方向）と同様になるように回転する。したがって、印刷ヘッドと対面する外周側面である印刷面が、印刷媒体の搬送方向と同様の方向に移動する印刷対象物に対して、印刷媒体の搬送方向に直交する方向に往復する印刷ヘッドにより印刷が行われる。
【００１２】
このように、印刷媒体の搬送台と、印刷媒体の搬送方向に直交する方向に往復する印刷ヘッドとを備えた汎用の印刷装置を利用して、外周側面を印刷面とする印刷対象物に容易かつ安価に曲面印刷を実現できる。
【００１３】
本発明において、上記ピニオンギアと反転ギアは、支持部に支持されて回転する印刷対象物の外周側面の周速が、搬送台による印刷媒体の搬送速度と実質的に等しくなるように設定されている場合には、
搬送台で搬送される印刷媒体に印刷するのと同様にして、支持部に支持されて回転する印刷対象物の外周側面に対する曲面印刷を実現できる。
【００１４】
本発明において、上記印刷対象物は、印刷面である外周側面が円錐状または切頭円錐状である場合には、
円錐状または切頭円錐状の印刷面を有する印刷対象物に対して、汎用の印刷装置を利用して、その外周側面に容易かつ安価に曲面印刷を実現できる。例えば、紙コップやカップ状容器等の印刷対象物への印刷を実現できる。
【００１５】
本発明において、上記支持部の回転軸は、上記印刷対象物の印刷面である外周側面が上記印刷ヘッドの往復方向と平行になるよう設定されている場合には、
印刷ヘッドが往復移動したときに、印刷ヘッドと印刷対象物の印刷面との距離が一定に保たれる。したがって、汎用の印刷装置を利用して、外周側面を印刷面とする印刷対象物に容易かつ安価に曲面印刷を実現できる。
【００１６】
本発明において、上記印刷ヘッドの往復方向に沿うように配置されて、印刷ヘッドにおける一部のノズルから吐出されるインクをマスクするマスキング部材をさらに備えた場合には、
印刷ヘッドにおけるノズルは、印刷ヘッドの往復方向と直行する方向に並ぶ列をなすよう形成されている。したがって、曲面印刷をするときに、列の端部寄りのノズルでは、中央付近のノズルに比べて印刷面とノズルとの距離が長くなる。このため、列の端部寄りのノズルから吐出されたインクによる印刷では、印刷された画像の解像度が低下する。したがって、その部分のノズルから吐出されるインクを上記マスキング部材によってマスクすることにより、鮮明な画像の曲面印刷を実現できる。
【図面の簡単な説明】
【００１７】
【図１】本発明の印刷用治具の第１実施形態を示す図であり、ラックギアとピニオンギアと反転ギアの位置関係を説明するための平面図である。
【図２】上記第１実施形態を示す図であり、ラックギアとピニオンギアと反転ギアの位置関係を説明するために側面から見た図である。
【図３】上記第１実施形態を示す図であり、反転ギアと支持部と印刷対象物の位置関係を説明するために正面から見た図である。
【図４】上記第１実施形態を示す図であり、反転ギアと印刷対象物の寸法関係を説明するための図である。
【図５】本発明の印刷用治具の第２実施形態を示す図であり、マスキング部材を説明する図である。
【発明を実施するための形態】
【００１８】
つぎに、本発明を実施するための形態を説明する。
【００１９】
図１〜図４は、本発明が適用される印刷用治具の第１実施形態を示す。
【００２０】
この印刷用治具は、印刷媒体の搬送台１と、印刷媒体の搬送方向に直交する方向に往復する印刷ヘッド２とを備えた印刷装置に用いる印刷用治具である。
【００２１】
上記印刷装置としては、一般にインクジェットプリンタと呼ばれるものを用いることができる。
【００２２】
上記搬送台１は、紙や樹脂フィルム等の印刷媒体（図示していない）を搭載し、上記印刷媒体を搬送方向（図示の矢印Ｘ方向）に搬送するためのものである。
【００２３】
上記印刷ヘッド２は、ガイドバー３に沿って、印刷媒体の搬送方向（Ｘ）に直交する方向（図示の矢印Ｙ方向）に往復移動する。上記印刷ヘッド２は、印刷媒体と対面する下面にインクを吐出するノズルが形成されている。上記ノズルから吐出するインクは、図示しないインクカートリッジから供給を受ける。
【００２４】
上記印刷装置は、一般的な使用方法としては、搬送台１に印刷媒体を搭載してＸ方向に搬送しながら、印刷ヘッド２をＹ方向に往復動させながらノズルからインクを吐出する。この動作により、紙のような平面の印刷媒体における印刷ヘッド２と対面した上面に画像や文字等を印刷することが行われる。
【００２５】
この印刷用治具は、上記のような印刷装置を利用して、例えば紙コップやカップ状物のように、印刷面１５である外周側面が円錐状または切頭円錐状の印刷対象物８に対して曲面印刷を実現するものである。
【００２６】
上記印刷用治具は、上記印刷媒体の搬送方向に延びるように搬送台１の上に固定されるラックギア５と、上記ラックギア５にかみ合って回転するピニオンギア６と、上記ピニオンギア６に連動してピニオンギア６と反対方向に回転する反転ギア７とを備えている。また、上記反転ギア７に連動して回転し、外周側面を印刷面１５とする印刷対象物８を支持するための支持部９をさらに備えている。
【００２７】
以下、詳しく説明する。
【００２８】
上記ラックギア５は、搬送台１の上における印刷ヘッド２が往復動する印刷領域を外れたところに、ギア面を上にして固定される。また、上記ラックギア５は、上記印刷媒体の搬送方向（Ｘ）に延びるように配置される。
【００２９】
上記ピニオンギア６は、ラックギア５にかみ合って回転する円形のギアである。上記ピニオンギア６は、第１回転軸１３によって第１軸支台１１に軸支される。また、ラックギア５にかみ合うよう、搬送台１の上における印刷ヘッド２が往復動する印刷領域を外れたところに配置される。
【００３０】
上記反転ギア７は、この例では、上記ピニオンギア６にかみ合ってピニオンギア６と反対方向に回転する円形のギアである。上記反転ギア７は、第２回転軸１４によって第２軸支台１２に軸支される。また、ピニオンギア６にかみ合うよう、搬送台１の上における印刷ヘッド２が往復動する印刷領域を外れたところに配置される。
【００３１】
上記支持部９は、上記反転ギア７に連動して回転し、外周側面を印刷面１５とする印刷対象物８を支持する。この例では、印刷対象物８がカップ状物であり、支持部９はカップ状物の開口部分に内嵌する円錐台形状をしている。この円錐台形状の支持部９は、広いほうの底面が反転ギア７の盤面に対して同軸状に取り付けられている。これにより、反転ギア７が第２回転軸１４を軸に回転すると、支持部９も第２回転軸１４を軸に回転する。
【００３２】
上記支持部９を回転させる回転軸である第２回転軸１４は、上記印刷対象物８の印刷面である外周側面が上記印刷ヘッド２の往復方向（Ｙ）と平行になるよう設定されている。すなわち、支持部９に印刷対象物８を取り付けた状態で、印刷対象物８の外周側面の上側（印刷ヘッド２のノズル面と対面する側）が、上記印刷ヘッド２の往復方向（Ｙ）と平行になる。このように第２回転軸１４は、少し斜めに傾くように第２軸支台１２に取り付けられている。
【００３３】
円錐台状の支持部９に対して、カップ状の印刷対象物８を被せて装着するようになっている。この装着構造によって、カップ状の印刷対象物８は支持部９に対して同軸状に取り付けられる。
【００３４】
上記支持部９に対して印刷対象物８が取り付けられた状態で、印刷対象物８は、印刷ヘッド２が往復移動する印刷可能領域の中に配置される。また、この状態で、カップ状の印刷対象物８の中心軸が、平面視で印刷ヘッド２の往復方向（Ｙ）と平行になる。さらに、印刷ヘッド２が、カップ状の印刷対象物８の中心軸に沿って往復動する。また、印刷面１５である印刷対象物８の外周側面の上側稜線部が、往復移動する印刷ヘッド２のノズル面と対面する。このような位置関係を実現するように、支持部９と反転ギア７が配置され、他の部材もそれに合わせたところに配置される。
【００３５】
そして、上記ピニオンギア６と反転ギア７は、支持部９に支持されて回転する印刷対象物８の周速が、搬送台１による印刷媒体の搬送速度と実質的に等しくなるように設定されている。
【００３６】
図４は、反転ギア７と印刷対象物８の寸法関係を説明する図である。
【００３７】
このように、反転ギア７のピッチ円直径（図示の寸法Ｒ１）が、カップ状の印刷対象物８の印刷面１５である外周側面の高さ方向における中央部の外径（Ｒ２）と等しくなるように設定されている。
【００３８】
また、ピニオンギア６と反転ギア７は、同じ直径で同じ歯数のものを用いる。これにより、ピニオンギア６から反転ギア７への回転の伝達は、回転方向が反転するだけで、回転数および回転速度は同じになる。
【００３９】
このような構成において、印刷対象物８への印刷はつぎのようにして行われる。
【００４０】
まず、円錐台状の支持部９に対して、カップ状の印刷対象物８を被せて装着する。印刷が開始されると、印刷ヘッド２がＹ方向に往復動しながら搬送台１がＸ方向に移動する。このとき、印刷ヘッド２が印刷対象物８の上を通過するときに、印刷ヘッド２のノズルからインクが下方向に吐出される。
【００４１】
搬送台１がＸ方向に移動すると、搬送台１に固定されたラックギア５がＸ方向（ラックギア５自体の長手方向である）に移動する。このラックギア５の移動によって、これにかみ合うピニオンギア６が回転する。ピニオンギア６の回転方向は、第１回転軸１３の上側が搬送台１の移動方向（矢印Ｘ）と反対に動く方向（図示の矢印Ｐ）である。
【００４２】
ピニオンギア６が回転すると、それにかみ合った反転ギア７が回転する。反転ギア７の回転方向は、ピニオンギア６の回転方向（Ｐ）と逆である。すなわち、反転ギア７は、第２回転軸１４の上側が搬送台１の移動方向（矢印Ｘ）に動く方向（図示の矢印Ｔ）である。
【００４３】
反転ギア７が回転すると、それに取り付けられた支持部９が同じ方向に回転する。また、支持部９に取り付けられた印刷対象物８も同じ方向に回転する。したがって、印刷対象物８の回転方向は、印刷ヘッド２と対面する外周側面である印刷面１５が、搬送台１の移動方向（矢印Ｘ）に動く方向（Ｔ）である。
【００４４】
この状態で、印刷ヘッド２のノズルから印刷面１５に対してインクが吐出され、印刷対象物８の外周側面である印刷面１５に文字や画像等が印刷される。
【００４５】
このとき、支持部９に支持されて回転する印刷対象物８の周速が、搬送台１による印刷媒体の搬送速度と実質的に等しくなるように設定されていることから、搬送台１に印刷媒体を搭載して印刷するのと同様にして、カップ状の印刷対象物８の外周側面である印刷面１５に印刷を行うことができる。
【００４６】
以上のように、本実施形態の印刷用治具では、搬送台１が印刷媒体の搬送方向（Ｘ）に移動すると、そこに固定されたラックギア５がその方向（Ｘ）に移動する。このラックギア５の移動によってピニオンギア６が回転する。このとき、ピニオンギア６は、印刷ヘッド２側の外周の移動方向（Ｐ）がラックギア５の移動方向（すなわち印刷媒体の搬送方向；Ｘ）と反対になる。ピニオンギア６の回転により、それに連動して反転ギア７が回転する。反転ギア７の回転方向（Ｔ）は、ピニオンギア６と反対方向である。したがって、反転ギア７は、印刷ヘッド２側の外周の移動方向（Ｔ）がラックギア５の移動方向（すなわち印刷媒体の搬送方向；Ｘ）と同様になる。そして、外周側面を印刷面１５とする印刷対象物８は、上記反転ギア７に連動して回転する支持部９に支持されている。このため、搬送台１が印刷媒体の搬送方向（Ｘ）に移動することにより、外周側面を印刷面１５とする印刷対象物８は、上記支持部９に支持されて、印刷ヘッド２側の外周の移動方向（Ｔ）がラックギア５の移動方向（すなわち印刷媒体の搬送方向；Ｘ）と同様になるように回転する。したがって、印刷ヘッド２と対面する外周側面である印刷面１５が、印刷媒体の搬送方向（Ｘ）と同様の方向（Ｔ）に移動する印刷対象物８に対して、印刷媒体の搬送方向に直交する方向（Ｙ）に往復する印刷ヘッド２により印刷が行われる。
【００４７】
このように、印刷媒体の搬送台１と、印刷媒体の搬送方向（Ｘ）に直交する方向（Ｙ）に往復する印刷ヘッド２とを備えた汎用の印刷装置を利用して、外周側面を印刷面１５とする印刷対象物８に容易かつ安価に曲面印刷を実現できる。
【００４８】
また、上記ピニオンギア６と反転ギア７は、支持部９に支持されて回転する印刷対象物８の外周側面の周速が、搬送台１による印刷媒体の搬送速度と実質的に等しくなるように設定されているため、
搬送台１で搬送される印刷媒体に印刷するのと同様にして、支持部９に支持されて回転する印刷対象物８の外周側面に対する曲面印刷を実現できる。
【００４９】
また、上記印刷対象物８は、印刷面１５である外周側面が円錐状または切頭円錐状であるため、
円錐状または切頭円錐状の印刷面１５を有する印刷対象物８に対して、汎用の印刷装置を利用して、その外周側面に容易かつ安価に曲面印刷を実現できる。例えば、紙コップやカップ状容器等の印刷対象物８への印刷を実現できる。
【００５０】
また、上記支持部９の第２回転軸１４は、上記印刷対象物８の印刷面１５である外周側面が上記印刷ヘッド２の往復方向（Ｙ）と平行になるよう設定されているため、
印刷ヘッド２が往復移動したときに、印刷ヘッド２と印刷対象物８の印刷面１５との距離が一定に保たれる。したがって、汎用の印刷装置を利用して、外周側面を印刷面１５とする印刷対象物８に容易かつ安価に曲面印刷を実現できる。
【００５１】
図５は、第２実施形態を示す。
【００５２】
この例では、上記印刷ヘッド２の往復方向に沿うように配置されて、印刷ヘッド２における一部のノズルから吐出されるインクをマスクするマスキング部材１０をさらに備えている。
【００５３】
このため、印刷ヘッド２におけるノズルは、印刷ヘッド２の往復方向（Ｙ）と直行する方向（Ｘ）に並ぶ列をなすよう形成されている。したがって、曲面印刷をするときに、列の端部寄りのノズルでは、中央付近のノズルに比べて印刷面１５とノズルとの距離が長くなる。このため、列の端部寄りのノズルから吐出されたインクによる印刷では、印刷された画像の解像度が低下する。したがって、その部分のノズルから吐出されるインクを上記マスキング部材１０によってマスクすることにより、鮮明な画像の曲面印刷を実現できる。それ以外は上記第１実施形態と同様であり、同様の作用効果を奏する。
【００５４】
本発明は、上記各実施形態に限定されるものではなく、下記の変形例を包含する趣旨である。
【００５５】
上記各実施形態では、上記反転ギア７は、上記ピニオンギア６にかみ合ってピニオンギア６と反対方向に回転するようにしたが、これに限定するものではない。例えば、ピニオンギア６と反転ギア７の間にさらに複数のギアを経由して回転を伝達することもできる。また、ピニオンギア６と反転ギア７の間をベルト等で繋いで回転を伝達することもできる。
【００５６】
上記各実施形態において、ギア比を変更することにより、搬送台１の搬送速度に対する印刷対象物８の回転速度を自由に変えて印刷するようにしてもよい。
【００５７】
上述した説明では、ラックギア５、ピニオンギア６および反転ギア７を一組だけ図示して一個の印刷対象物８を印刷する状態を示したが、ラックギア５、ピニオンギア６および反転ギア７を複数組印刷ヘッド２の移動方向Ｙに並べて複数個の印刷対象物８を同時に印刷するようにすることもできる。
【００５８】
上述した説明では、第２回転軸１４を少し斜めに傾くように第２軸支台１２に取り付けて円錐台状の印刷対象物８の外周面に印刷するようにしたが、第２回転軸１４を印刷ヘッド２の移動方向Ｙと平行に配置することにより、軸方向で外径が変わらない円筒状の印刷対象物８の外周面に印刷するようにすることもできる。
【符号の説明】
【００５９】
１：搬送台
２：印刷ヘッド
３：ガイドバー
５：ラックギア
６：ピニオンギア
７：反転ギア
８：印刷対象物
９：支持部
１０：マスキング部材
１１：第１軸支台
１２：第２軸支台
１３：第１回転軸
１４：第２回転軸
１５：印刷面
【図１】
2014205125.tif 000003
【図２】
2014205125.tif 000004
【図３】
2014205125.tif 000005
【図４】
2014205125.tif 000006
【図５】
2014205125.tif 000007